(57)【要約】【課題】  室内側での仕上げの必要がなく、従来技術に比べて鋼材の量が少なくて済み、現場で軽量気泡コンクリートを加工する必要がなく、さらに地域毎に風力特性を考慮する必要がなく、かつ、建築物が高層でも中低層でも使用可能とする下地鋼材取付金物および下地鋼材取付構造を提供する。【解決手段】  いずれかの垂直片（１ｂ）、（１ｃ）に沿って、水平片（１ｄ）の一部に切欠部（１ａ）が長さ方向に形成されており、２つの垂直片（１ｂ）、（１ｃ）の少なくとも一方の上端部が躯体に取り付けられ、切欠部（１ａ）を通じて、躯体に取り付けられる下地鋼材が伸長することを可能とするように寸法付けられる。【選択図】  図１
2007077592.tif 000002
【特許請求の範囲】
【請求項１】
平行に伸長する方形の２つの垂直片と、該２つの垂直片をそれぞれの下端部で接続する方形の水平片とからなり、いずれかの垂直片に沿って、水平片の一部に切欠部が長さ方向に形成されており、前記２つの垂直片の少なくとも一方の上端部が躯体に取り付けられ、該切欠部を通じて、該躯体に取り付けられる下地鋼材が伸長することを可能とする下地鋼材取付金物。
【請求項２】
躯体下面に当接させる一辺を有し、平行に配置された方形の第１の垂直片および第２の垂直片と、第１の垂直片において躯体に当接させる辺と対向する辺、および、第２の垂直片において躯体に当接させる辺と対向する辺に、対向する２辺が接合する方形の水平片とが、一体に形成されており、該水平片には、第１の垂直片と接合する辺の一部で、第１の垂直片に沿って溝状の切欠部が形成され、各部材は、第１の垂直片の内側面に当接して前記躯体に付けられた下地鋼材が、前記切欠部を通して伸長することが可能であるように、寸法付けられていることを特徴とする下地鋼材取付金物。
【請求項３】
軽量気泡コンクリートパネルの高さ方向下寄り中間部と高さ方向下部との２点で、軽量気泡コンクリートパネルを躯体に間接的に取り付けることにより、立ち上がり壁を得る下地鋼材取付構造において、請求項１または２に記載の下地鋼材取付金物が、躯体下面に溶接され、前記軽量気泡コンクリートパネルの自重受鋼材を支持するＬ型縦下地鋼材が、躯体下面に溶接され、かつ、前記Ｌ型縦下地鋼材の一方の面が、前記切欠部に差し込まれて溶接されていることを特徴とする下地鋼材取付構造。
【発明の詳細な説明】
【技術分野】
【０００１】
本発明は、ベランダ、バルコニー、パラペット、廊下または階段等の立ち上がり壁として、軽量気泡コンクリートパネルを躯体に間接的に取り付ける際に使用する、下地鋼材を躯体に取り付けるための金物および下地鋼材の躯体への取付構造に関する。
【背景技術】
【０００２】
軽量気泡コンクリートパネルは、建物の壁、床または屋根等に、広く使用されているが、ベランダ、バルコニー、パラペット、廊下または階段等の立ち上がり壁として使用される場合には、例えば、特開平０９−２０３１５１号公報や、特開平１１−０２１９９４号公報に記載された取付構造が採用される。
【０００３】
特開平０９−２０３１５１号公報には、従来技術として、軽量気泡コンクリートパネルのベランダ壁取付け構造が記載されている。図６に、このベランダ壁取付け構造の一実施例を斜視図で示した。軽量気泡コンクリートパネル（Ｐ）を取り付けるために、自重受けのためのＬ型横下地鋼材（８）と、軽量気泡コンクリートパネル（Ｐ）の上部を取り付けるためのＬ型横下地鋼材（９）と、さらに、Ｌ型横下地鋼材（８）、（９）を躯体に取付け、かつ、壁に作用する水平荷重を受けるＬ型縦下地鋼材（１０）とを組み立てて、溶接により接合している。その後、Ｌ型横下地鋼材（８）、（９）に、フックボルト（１１）を溶接し、軽量気泡コンクリートパネル（Ｐ）を取り付ける。
【０００４】
しかし、軽量気泡コンクリートパネル（Ｐ）の室内側に、Ｌ型縦下地鋼材（１０）が露出するため、化粧ボードを張るなどの仕上げが別途、必要になるという問題点があった。また、Ｌ型横下地鋼材（８）、（９）を連結するＬ型縦下地鋼材（１０）が必要であるため、使用する鋼材の量が多いという問題点があった。さらに、隣接する軽量気泡コンクリートパネル（Ｐ）同士の目地幅を揃えるため、Ｌ型縦下地鋼材（１０）の厚さだけ、軽量気泡コンクリートパネル（Ｐ）を削る必要があり、手間がかかるという問題点があった。
【０００５】
また、特開平０９−２０３１５１号公報には、軽量気泡コンクリートパネルのベランダ壁取付け構造が記載されている。図７に、このベランダ壁取付け構造の一実施例を斜視図で示した。軽量気泡コンクリートパネル（Ｐ）を取り付けるために、軽量気泡コンクリートパネル（Ｐ）の高さ方向下寄り中間部を取り付けるために、Ｌ型横下地鋼材（１２）を直接、躯体に固定し、自重受けのためと軽量気泡コンクリートパネル（Ｐ）の下部を取り付けるためのＬ型横下地鋼材（８）を、Ｌ型縦下地鋼材（１３）を介して間接的に躯体に固定する。Ｌ型縦下地鋼材（１３）は、躯体の上部と下部に直接、取り付けられるか、あるいはＬ型ピース（１４）を介して間接的に躯体に取り付けられる。その後、軽量気泡コンクリートパネル（Ｐ）の下部と下寄り中間部とを、Ｌ型横下地鋼材（８）、（１２）に、専用金物（１５）、ボルト（１６）およびアンカー（１７）で取り付ける。従って、Ｌ型縦下地鋼材（１３）は、Ｌ型横下地鋼材（１２）より下方に設置されるため、軽量気泡コンクリートパネル（Ｐ）の室内側にＬ型縦下地鋼材（１３）の露出がなく、別途の仕上げが必要でなくなる。さらに、前述の方法に比べて、鋼材の量が少なくて済む。
【０００６】
しかし、Ｌ型縦下地鋼材（１３）の厚さだけ、軽量気泡コンクリートパネル（Ｐ）を削る必要があり、手間がかかるという問題点があった。
【０００７】
また、特開平１１−０２１９９４号公報には、立上がり軽量気泡コンクリートパネルの取付構造が記載されている。図８および図９に、この立上がり軽量気泡コンクリートパネルの取付構造の一実施例を、斜視図で示した。軽量気泡コンクリートパネル（Ｐ）の下寄り中間部を取り付けるために、横下地鋼材（１８）を直接、躯体（１９）に固定し、自重受けと軽量気泡コンクリートパネル（Ｐ）の下部を取り付けるために、Ｌ型横下地鋼材（８）を、１つまたは複数のＬ型ピース（１４）を介して、躯体（１９）に固定する。１つのＬ型ピース（１４）で済ますには、Ｌ型ピース（１４）の２つの片が、Ｌ型横下地鋼材（８）の垂直片（８ａ）と、躯体（１９）の下端面（１９ａ）のそれぞれに面するように配置して、溶接固定する。しかし、Ｌ型ピースを複数、用いてもよく、その場合には、図９に示したように、Ｌ型横下地鋼材（８）の垂直片（８ａ）に第１のＬ型ピース（１４ａ）を取り付け、躯体（１９）の下端面（１９ａ）に第２のＬ型ピース（１４ｂ）を取り付け、第１のＬ型ピース（１４ａ）と第２のＬ型ピース（１４ｂ）とを溶接固定する。その後、軽量気泡コンクリートパネル（Ｐ）の下部を、Ｌ型横下地鋼材（８）および横下地鋼材（１８）に、専用金物（２０）、（２１）、ボルト（１６）およびアンカー（１７）で取り付ける。従って、軽量気泡コンクリートパネル（Ｐ）の室内側に鋼材等が露出しないため、別途、仕上げをする必要がなく、Ｌ型縦下地鋼材の変わりにＬ型ピースを用いるため、Ｌ型縦下地鋼材を用いる前述の従来技術に比べて、鋼材の量が少なくて済み、かつ、軽量気泡コンクリートパネル（Ｐ）を削る作業を全く必要としない。
【０００８】
しかし、特開平１１−０２１９９４号公報にも記載されている通り、取付強度が不足するため、大きな風圧力が作用する地域や、高層建築物などでは、実施することができないという問題があった。
【０００９】
【特許文献１】特開平０９−２０３１５１号公報
【００１０】
【特許文献２】特開平１１−０２１９９４号公報
【発明の開示】
【発明が解決しようとする課題】
【００１１】
本発明は、室内側での仕上げの必要がなく、従来技術に比べて鋼材の量が少なくて済み、現場で軽量気泡コンクリートパネルを加工する必要がなく、さらに地域毎に風力特性を考慮する必要がなく、かつ、建築物が高層でも中低層でも使用可能とする軽量気泡コンクリートパネルの躯体への取付けを実施するための下地鋼材取付金物および下地鋼材取付構造を提供することを目的とする。
【課題を解決するための手段】
【００１２】
本発明の下地鋼材取付金物は、平行に伸長する方形の２つの垂直片と、該２つの垂直片をそれぞれの下端部で接続する方形の水平片とからなり、いずれかの垂直片に沿って、水平片の一部に切欠部が長さ方向に形成されており、前記２つの垂直片の少なくとも一方の上端部が躯体に取り付けられ、該切欠部を通じて、該躯体に取り付けられる下地鋼材が伸長することを可能とする。
【００１３】
あるいは、躯体下面に当接させる一辺を有し、平行に配置された方形の第１の垂直片および第２の垂直片と、第１の垂直片において躯体に当接させる辺と対向する辺、および、第２の垂直片において躯体に当接させる辺と対向する辺に、対向する２辺が接合する方形の水平片とが、一体に形成されており、該水平片には、第１の垂直片と接合する辺の一部で、第１の垂直片に沿って溝状の切欠部が形成され、各部材は、第１の垂直片の内側面に当接して前記躯体に付けられた下地鋼材が、前記切欠部を通して伸長することが可能であるように、寸法付けられている。
【００１４】
本発明の下地鋼材取付構造は、軽量気泡コンクリートパネルの高さ方向下寄り中間部と高さ方向下部との２点で、軽量気泡コンクリートパネルを躯体に間接的に取り付けることにより、立ち上がり壁を得る下地鋼材取付構造において、前記の下地鋼材取付金物が、躯体下面に溶接され、前記軽量気泡コンクリートパネルの自重受鋼材を支持するＬ型縦下地鋼材が、躯体下面に溶接され、かつ、前記Ｌ型縦下地鋼材の一方の面が、前記切欠部に差し込まれて溶接されている。
【発明の効果】
【００１５】
本発明により、従来技術と比較して、下地鋼材の露出が少なく、ボード材を取り付けるなどの別途の仕上げも必要なく、塗装や左官仕上げなど、安価で容易な仕上げが可能となる。
【００１６】
また、従来技術と比較して、縦下地鋼材の使用量が少ないかあるいは同等であり、鋼材削減によるコストダウンが可能である。加えて、Ｌ型縦下地鋼材の厚さだけ、現場で軽量気泡コンクリートパネルを削る作業が一切ないため、施工性を向上させることができ、かつ、軽量気泡コンクリートパネルの加工屑が出ないため、現場のクリーンアップにもつながる。さらに、現場において比較的、誤差の大きい鉄骨躯体に対しても、容易に軽量気泡コンクリートパネルおよび下地鋼材の精度を出すことができる。外力として比較的大きな風圧力が作用する地域や、高層の建築物にも適用でき、すべての建物において、著しい効果を見込むことができる。
【発明を実施するための最良の形態】
【００１７】
本発明の下地鋼材取付金物の一実施例について、図面を参照して説明する。図１は、本発明の下地鋼材取付金物の一実施例を示す斜視図である。
【００１８】
本発明の下地鋼材取付金物（１）は、躯体下面に当接させる一辺を有する方形であり、平行に位置する第１の垂直片（１ｂ）および第２の垂直片（１ｃ）と、第１の垂直片（１ｂ）において躯体下面に当接させる辺と対向する辺、および、第２の垂直片（１ｃ）において躯体下面に当接させる辺と対向する辺を、それぞれ対向する２辺とする方形である水平片（１ｄ）とが一体に形成される。水平片（１ｄ）において、第１の垂直片（１ｂ）と接合する辺の一部を切り欠くことにより、溝状の切欠部（１ａ）が形成され、第２の垂直片（１ｃ）と対向する第１の垂直片（１ｂ）の面に当接させるＬ型縦下地鋼材の一片が、前記切欠部を通じて伸長することが可能であるように、各片および切欠部が寸法付けられている。
【００１９】
具体的には、下地鋼材取付金物の寸法は、取り付けられる下地鋼材の寸法や、軽量気泡コンクリートパネルが取り付けられる条件等によって、任意に決定される。Ｌ型縦下地鋼材（４）として、アングル材Ｌ−６５ｍｍ×６５ｍｍ×６ｍｍを用いる場合には、一例として、第１の垂直片（１ｂ）および第２の垂直片（１ｃ）の外側面の寸法は、１００ｍｍ×５０ｍｍ程度とし、水平片（１ｄ）の下側面の寸法は、１００ｍｍ×６５ｍｍ程度とし、厚さを４ｍｍ〜６ｍｍ程度とする。切欠部（１ａ）の寸法は、Ｌ型縦下地鋼材（４）の寸法に合わせて、幅６ｍｍ〜９ｍｍ程度、長さ５０ｍｍ程度とする。
【００２０】
本発明の下地鋼材取付金物（１）は、あらかじめ切欠部（１ａ）を施した板材を、コの字状に曲げ加工することで作製することができる。従って、製造工程が簡易であり、安価に製造することができる。
【００２１】
本発明の下地鋼材取付金物により、施工時に、Ｌ型縦下地鋼材との接合面をシャコ万等により仮止めすることが可能となり、Ｌ型縦下地鋼材の面外方向の出入り調整が可能となる。
【００２２】
本発明の下地鋼材取付構造の一実施例を図面を参照して、説明する。図２は、本発明の下地鋼材取付構造の一実施例を、下より仰ぎ見た斜視図である。
【００２３】
本発明の下地鋼材取付構造は、軽量気泡コンクリートパネルを、立ち上がり壁となるように、軽量気泡コンクリートパネルの高さ方向下寄り中間部と高さ方向下部との２点で、躯体に間接的に取り付ける。なお、当該下地鋼材取付構造を、下がり壁等の構造に採用することも可能である。
【００２４】
高さ方向下寄り中間部では、第１のＬ型横下地鋼材（２）が躯体上面（５ａ）に、主に溶接により取り付けられる。高さ方向下部では、下地鋼材取付金物（１）が、第２の垂直片（１ｃ）および第１の垂直片（１ｂ）の少なくとも一方の上端部で、躯体下面（５ｂ）に溶接され、軽量気泡コンクリートパネルの自重受鋼材を支持するＬ型縦下地鋼材（４）の上端部が、躯体下面（５ｂ）に溶接され、かつ、Ｌ型縦下地鋼材（４）の一片が、切欠部（１ａ）に差し込まれて、該切欠部（１ａ）で下地鋼材取付金物（１）に溶接される。
【００２５】
本発明の下地鋼材取付金物により、軽量気泡コンクリートパネル下部取付部に作用する室外側向きあるいは室内側向きの荷重により発生する曲げ応力に抵抗でき、かつ、Ｌ型縦下地鋼材を、躯体下面と切欠部の２点で躯体に剛に取り付けることが可能となる。
【００２６】
本発明により、軽量気泡コンクリートパネルを立ち上がり壁とする施工方法について、図面を参照して説明する。図３は、下地鋼材取付金物を躯体に取り付けた状態を、下より仰ぎ見た斜視図である。図４は、Ｌ型縦下地鋼材を下地鋼材取付金物に仮固定した状態を、下より仰ぎ見た斜視図である。図５は、第２のＬ型横下地鋼材をＬ型縦下地鋼材に仮固定した状態を、下より仰ぎ見た斜視図である。
【００２７】
まず、あらかじめバルコニー部分のＨ形鋼（５）の上側フランジ上面（５ａ）に墨出しをし、アングル材Ｌ−６５ｍｍ×６５ｍｍ×６ｍｍからなる第１のＬ型横下地鋼材（２）を、バルコニー部分のＨ形鋼（５）の上側フランジ上面（５ａ）に、例えば６００ｍｍピッチで溶接により固定する。
【００２８】
次に、切欠部（１ａ）が室外側を向く向きで、下地鋼材取付金物（１）を少なくとも第２の垂直片（１ｃ）の上端部で、Ｈ形鋼（５）の下側フランジ下面（５ｂ）の室外側近傍に溶接固定する。下地鋼材取付金物（１）の厚みは、４．５ｍｍであり、切欠部（１ａ）の寸法は、例えば、後述するＬ型縦下地鋼材として設置するアングル材Ｌ−６５ｍｍ×６５ｍｍ×６ｍｍの寸法に合わせ、幅６．５ｍｍ〜７ｍｍ、長さ５０ｍｍとする。
【００２９】
さらに、例えば、アングル材Ｌ−６５ｍｍ×６５ｍｍ×６ｍｍからなり、長さが２５０ｍｍであるＬ型縦下地鋼材（４）を、下地鋼材取付金物（１）の切欠部（１ａ）に差込み、Ｈ形鋼（５）の下側フランジ下面（５ｂ）に当接させて、下地鋼材取付金物（１）の第１の垂直片と、Ｌ型縦下地鋼材（４）の第１の片（４ａ）をシャコ万（６ａ）で仮固定する。さらに、図５に示すように、下地鋼材取付金物（１）に仮固定したＬ型縦下地鋼材（４）に、アングル材Ｌ−６５ｍｍ×６５ｍｍ×６ｍｍからなり、長さが２５０ｍｍである第２のＬ型横下地鋼材（３）を、同じくシャコ万（６ｂ）で仮固定する。
【００３０】
その後、第１のＬ型横下地鋼材（２）の室外側の面と、第２のＬ型横下地鋼材（３）の垂直片の室外側の面とが合うように、下げ振り（７）により位置合わせをした後、仮固定した部分を溶接により本固定する。
【００３１】
以上のように、本発明により、室内側での仕上げの必要がなく、従来技術に比べて鋼材の量が少なくて済み、現場で軽量気泡コンクリートを加工する必要がなく、さらに地域毎に風力特性を考慮する必要がなく、かつ、建築物が高層でも中低層でも使用可能とする下地鋼材取付金物および下地鋼材取付構造を提供することが可能となった。
【図面の簡単な説明】
【００３２】
【図１】本発明の下地鋼材取付金物の一実施例を示す斜視図である。
【図２】本発明の下地鋼材取付構造の一実施例を、下より仰ぎ見た斜視図である。
【図３】下地鋼材取付金物を躯体に取り付けた状態を、下より仰ぎ見た斜視図である。
【図４】Ｌ型縦下地鋼材を下地鋼材取付金物に仮固定した状態を、下より仰ぎ見た斜視図である。
【図５】第２のＬ型横下地鋼材をＬ型縦下地鋼材に仮固定した状態を、下より仰ぎ見た斜視図である。
【図６】従来技術によるベランダ壁取付け構造の一実施例を示す斜視図である。
【図７】従来技術によるベランダ壁取付け構造の一実施例を示す斜視図である。
【図８】従来技術による立上がり軽量気泡コンクリートパネルの取付構造の一実施例を示す斜視図である。
【図９】従来技術による立上がり軽量気泡コンクリートパネルの取付構造の一実施例を示す斜視図である。
【符号の説明】
【００３３】
１  下地鋼材取付金物
１ａ  切欠部
１ｂ  第１の垂直片
１ｃ  第２の垂直片
１ｄ  水平片
２  第１のＬ型横下地鋼材
３  第２のＬ型横下地鋼材
４  Ｌ型縦下地鋼材
４ａ  第１片
４ｂ  第２片
５  躯体
５ａ  躯体上面
５ｂ  躯体下面
６  シャコ万
７  下げ振り
８、９、１２  Ｌ型横下地鋼材
８ａ  垂直片
１０、１３  Ｌ型縦下地鋼材
１１  フックボルト
１４  Ｌ型ピース
１４ａ  第１のＬ型ピース
１４ｂ  第２のＬ型ピース
１５  専用金物
１６  ボルト
１７  アンカー
１８  横下地鋼材
１９  躯体
１９ａ  下端面
２０、２１  専用金物
Ｐ  軽量気泡コンクリートパネル
【図１】
2007077592.tif 000003
【図２】
2007077592.tif 000004
【図３】
2007077592.tif 000005
【図４】
2007077592.tif 000006
【図５】
2007077592.tif 000007
【図６】
2007077592.tif 000008
【図７】
2007077592.tif 000009
【図８】
2007077592.tif 000010
【図９】
2007077592.tif 000011